(57)【要約】【課題】  機器類の設置・配線・調整等の作業性の向上を図るとともに、設置スペースの効率化を図ることができるスライディング式ケージを提供することにある。【解決手段】  本発明のスライディング式ケージは、サーバーや電源等の電子機器類を収納するラックを囲うケージであって、ケージ前面又は後面の扉が複数の移動パネル１からなり、移動パネル１は上部ガイドレール２によって案内されてケージ側面に収納されることを特徴とする。上部ガイドレール２は、ケージの幅Ｌ１よりも長い長さＬ２を有する長尺部２１と、長尺部２１と連結されケージ側面１１に沿った短尺部２２と、短尺部２２からケージ側面１１に向かって移動パネルを移動させる収容部２３とを備える。【選択図】  図２
2005256305.tif 000002
【特許請求の範囲】
【請求項１】
電子機器類を収納するケージであって、
前記ケージ前面又は後面の扉を構成し、該ケージ側面に収容される複数の移動パネルと、
前記ケージの天井部に設けられ、前記移動パネルを吊下しつつ移動をガイドする上部ガイドレールと
を備え、前記上部ガイドレールは、
前記ケージ前面又は後面の幅よりも長い長尺部と、
前記長尺部と連結されケージ側面に沿った短尺部と、
前記短尺部から前記ケージ側面に向かって前記移動パネルを移動させる収容部と
を備えることを特徴とするスライディング式ケージ。
【請求項２】
前記ケージの床面部には、前記移動パネルの移動をガイドする下部ガイドレールを備えることを特徴とする請求項１に記載のスライディング式ケージ。
【請求項３】
前記下部ガイドレールは、着脱可能であることを特徴とする請求項２に記載のスライディング式ケージ。
【請求項４】
前記上部ガイドレール中央に設けられ、前記移動パネルの移動を制限するストッパーと、
前記ケージ側面近傍に設けられ、移動パネルを開閉移動させる際には、該移動パネルの移動経路上から離脱し、該移動パネルが閉止された状態には該移動経路上に突出するロック手段と
を備え、閉止された状態の前記扉を、前記ストッパーと前記ロック手段により挟み込んで、前記移動パネルを拘束することを特徴とする請求項１に記載のスライディング式ケージ。
【発明の詳細な説明】
【技術分野】
【０００１】
本発明は、通信関連機器、コンピュータ関連機器等の電子機器類を収納したラックを囲うケージに関し、とくに扉をスライディング式としたケージに関する。
【背景技術】
【０００２】
多数のサーバーを預かり運営・管理を行う通信事業者の局内やデータセンター内では、限られた設置スペースに多数のサーバーを効率良よく設置するために専用のサーバーラックが使用され、サーバーラックはユーザー毎に纏められてケージによって区分けされている。
【０００３】
このケージは、サーバーの設置スペース内を小部屋に区切る間仕切りであって、複数のサーバーラックを設置することができるようになっている。また、ケージは、サーバー等の電子機器の温度コントロールを考慮して金網で構成されている。
【０００４】
一般に使用されているケージの扉には、折戸式と引戸式とがある（例えば、特許文献１）。ここで、図６（Ａ）は折戸式ケージを示し、図６（Ｂ）は引戸式ケージを示す。
【０００５】
折戸式ケージでは、図６（Ａ）に示すように、扉は複数のパネル６０から構成されており、各パネル６０の一端にはローラ６１が設けられ、ガイドレール６２に沿って移動できるようになっている。パネル６０に設けられた取っ手を引くと、パネル６０はパネル間の連結部で扉が折れ曲がるようにしてガイドレール６２に沿って移動する。すなわち、パネル６０が通路側にはみ出すようにして折り畳まれることによって、ケージの扉が開放される。図６（Ａ）に示すケージでは、間仕切りによって２つの小部屋に区切られ、それぞれの空間にサーバーラック６３が設置されており、扉はサーバーラック６３の前面（図の下側）及び後面（図の上側）にそれぞれ設けられている。
【０００６】
引戸式ケージでは、図６（Ｂ）に示すように、扉は複数のパネル６４から構成されており、各パネル６４にはローラ（図示せず）が設けられ、上部及び下部ガイドレール６５（上部ガイドレールについては図示せず）に沿ってスライドできるようになっている。したがって、開放したい箇所のパネル６４に設けられた取っ手を引くことによって、ケージの扉を部分的に開放することができる。なお、図６（Ａ）と同様に、ケージは間仕切りによって２つの小部屋に区切られ、それぞれの空間にサーバーラック６３が設置されており、扉はサーバーラック６３の前面（図の下側）及び後面（図の上側）にそれぞれ設けられている。
【特許文献１】特開２００３−６０３６７号公報
【発明の開示】
【発明が解決しようとする課題】
【０００７】
上述した折戸式ケージの場合、図６（Ａ）に示したように、パネル６０が通路側にはみ出すようにして折り畳まれることによってケージの扉が開放されるため、以下のような問題があった。
（１）扉開放時に作業スペースともなる通路スペースを狭くしてしまう。
（２）ケージの設置に際して前後にパネル６０の幅を確保しなければならず、効率よく設置スペースを利用することができない。
（３）通路スペースに他のケージや壁等の障害物がある場合には、パネル６０が障害物に衝突してしまい扉を完全に開放することができない。
（４）扉を完全に開放できない場合には、ケージ内のサーバーラック６３に機器類を収納したり、機器の配線をしたり、機器の調整をしたりすることに支障を来し、作業性が悪い。
【０００８】
また、上述した引戸式ケージの場合、図６（Ｂ）に示したように、開放したい部分のパネル６４を移動させても隣のパネル６４に重ねて収納するだけであったため、以下のような問題があった。
（１）ケージ前面（又は後面）の全面を開放することができず、ケージ内のサーバーラック前面（又は後面）を完全に開放することができない場合があり、機器類の収納・配線・調整等の作業性が悪い。
（２）下部のガイドレール６５を取り外すことができないため、機器類の収納等の作業の障害となる。
【０００９】
本発明は、かかる問題点を解決するために創案されたものである。すなわち、本発明の目的は、機器類の設置・配線・調整等の作業性の向上を図るとともに、設置スペースの効率化を図ることができるスライディング式ケージを提供することにある。
【課題を解決するための手段】
【００１０】
本発明によれば、電子機器類を収納するラックを囲うケージであって、ケージ前面又は後面の扉が複数の移動パネルからなり、該移動パネルはケージ側面に収納されることを特徴とするスライディング式ケージが提供される。
【００１１】
本発明のスライディング式ケージは、ケージの天井部には、移動パネルを支持するとともに移動をガイドする上部ガイドレールを備える。この上部ガイドレールは、ケージ前面又は後面の幅よりも長い長尺部と、該長尺部と連結されケージ側面に沿った短尺部と、該短尺部からケージ側面に向かって移動パネルを移動させる収容部とを備える。この上部ガイドレールの短尺部は、ケージ側面の幅の半分以下の長さとすることが好ましい。
【００１２】
ケージの床面部には、移動パネルの移動をガイドする下部ガイドレールを備え、着脱可能であることが好ましい。なお、移動パネルは、ケージ側面の幅の半分以下の幅であることが好ましい。
【００１３】
さらに、上記発明では、上部ガイドレール中央に移動パネルの移動を制限するストッパーを設けるとともに、前記ケージ側面近傍に移動パネルを開閉移動させる際に、該移動パネルの移動経路上から離脱し、該移動パネルが閉止された状態には該移動経路上に突出するロック手段を設け、扉を閉止した状態において、前記ストッパーと前記ロック手段により挟み込んで、前記移動パネルを拘束することが好ましい。
【発明の効果】
【００１４】
本発明によれば、ケージ前面又は後面の扉をスライディング式として、扉（移動パネル）をケージ側面に収納したことにより、以下の効果を奏する。
（１）ケージ前面又は後面を完全に開放することができ、ケージ内に収容されたラックの全面を開放することができ、機器類の収納・配線・調整等の作業性を向上させることができる。
（２）ケージの扉を開放しても、通路スペースを狭くすることがなく、作業スペースを十分に確保することができる。
（３）扉開放時に通路スペースに扉がはみ出ないため、扉を開放することによる通路スペースの幅方向に制限がなく、設置スペースを効率よく利用することができる。
（４）下部のガイドレールを取り外すことができるため、足元に障害物がなく、機器類の収納等の作業性を向上させることができる。
【発明を実施するための最良の形態】
【００１５】
以下、本発明の最良の実施形態について図１乃至図５を参照して説明する。図１は本発明のスライディング式ケージの正面図であり、図２は上部ガイドレールの概要を示す部分上面図である。
【００１６】
本実施形態に係るスライディング式ケージは、サーバーや電源等の電子機器類を収納するラックを囲うケージであって、ケージ前面又は後面の扉が複数（図１では１０枚）の移動パネル１からなり、移動パネル１はケージ側面に収納されることを特徴とする。
【００１７】
図１に示すように、ケージ天井部には、移動パネル１を支持するとともに移動をガイドする上部ガイドレール２を備え、ケージ床面部には、移動パネル１の移動をガイドする下部ガイドレール３を備える。移動パネル１には、鉄等の金属製フレームに金網を張ったものが使用され、その幅はケージ側面１１（図２参照）の半分以下の長さとなっている。また、上部ガイドレール２は、ケージの幅（Ｌ１）よりも長い長さ（Ｌ２）を有する。このＬ１とＬ２の差分Ｌ３の幅が移動パネル１を収納するスペースとなる。
【００１８】
図２に示すように、上部ガイドレール２は、ケージの幅Ｌ１よりも長い長さＬ２を有する長尺部２１と、長尺部２１と連結されケージ側面１１に沿った短尺部２２と、短尺部２２からケージ側面１１に向かって移動パネルを移動させる収容部２３とを備える。ケージ側面１１は、移動パネル１と同様な構造のパネルによって形成され、ケージの柱１２にボルト等によって固定されている。
【００１９】
柱１２は、ケージの四隅と中央部に一対の六箇所に設置されている。中央部の柱１２には、移動パネル１と同様な構造のパネルによって形成された間仕切り１３がボルト等によって固定され、ケージを２つの小部屋に区切っている。その各部屋にサーバーラック１４が設置される。設置されるサーバーラック１４の本数は、ケージの大きさによって変更できるが、ここでは四本を一組にしたものを想定している。
【００２０】
長尺部２１は、直線状のレールによって構成されており、ケージ前面側と後面側の両方に設置されている。長尺部２１の中央部には、移動パネルのスライドをせき止めるためのストッパー２４が設けられており、これによって間仕切り１３によって区切られた小部屋ごとに扉（移動パネル）を開放したり閉鎖したりすることができる。ストッパー２４は、移動パネルのローラの移動を制限できるものであればよく、金具でもゴム製の突起物でもよく、ボルト等によってレール内に固着されている。
【００２１】
短尺部２２は、直線状のレールによって構成されており、長尺部２１の略端部に略垂直に連結され、ケージ前面側と後面側との間に掛け渡されるように設けられている。この長尺部２１及び短尺部２２には、後述する移動パネル１のローラが摺動可能に挿入され、パネル面と平行に移動パネル１がスライドできるようになっている。短尺部２２の中間部には、長尺部２１のストッパー２４と同様のストッパー２５が設けられており、移動パネル１の移動を制限できるようになっている。
【００２２】
この短尺部２２は、必ずしも一本のレールで構成する必要はなく、ケージ前面側と後面側とに分けて、ケージ側面１１の幅の半分以下の長さを有する二本のレールで構成してもよい。なお、短尺部２２は必ずしも直線状のレールである必要はなく、湾曲状のレールを使用してもよい。
【００２３】
収容部２３は、短尺部２２からケージ側面１１に向かって略垂直に延設された二本の金属製レールからなり、一端は短尺部２２に連結され、他端はケージ側面１１の上部に固定されている。収容部２３を構成する二本のレールの間隔は、後述する移動パネル１のローラの間隔に等しくなるように設計されている。また、収容部２３は、図２に示すように、ケージ前面側と後面側の二箇所に設けられ、ケージ前面側の移動パネル１とケージ後面側の移動パネル１とをそれぞれ個別に収容できるようになっている。なお、収容部２３の構造はこれに限定されるものではなく、短尺部２２の代わりに収容部２３の二本のレールを長尺部２１に直接連結させるようにしてもよい。
【００２４】
なお、前記サーバーラック１４には、ユーザー毎にサーバー等の電子機器が設置されるため、所定のユーザーのみが内部の機器に接触できるようにセキュリティ管理されるものであり、このセキュリティ管理をすべく移動パネル１の閉止状態を維持するために、ケージ側部にロック２６が設けられている。
【００２５】
このロック２６は、ケージ側面１１の長尺部２１近傍に設けられ、移動パネル１を開閉移動させる際には、移動パネル１の移動経路（長尺部２１）上から離脱するように駆動し、移動パネル１が閉止された際に、かかる移動経路に突出するように駆動される。したがって、扉を閉止しロック２６で施錠した状態にあっては、複数の移動パネル１全体を、一括してストッパー２４とロック２６とにより挟み込んで拘束する。すなわち、扉の一端は、図２に示したストッパー２４によって拘束され、他端は当該ロック２６によって拘束されることとなる。ロック２６としては、南京錠、ダイヤル式ロック、ディスクシリンダー、ピンシリンダー、電子キー、ディンプルキー、カードキー、機械式ボタン錠等種々のものを利用することができる。
【００２６】
図３は、ケージ前面の部分断面図である。図３において、ケージ側面１１を構成するパネルについては図を省略してある。
【００２７】
同図において、移動パネル１は、上端の２箇所に上部ローラ３１を有し、上部ローラ３１は上部ガイドレール２に挿入されている。この上部ローラ３１は移動パネル１の上下方向に回転軸３１ａを有し、移動パネル１の移動方向（水平方向）に上部ローラ３１が回転できるようになっている。この上部ローラ３１の下部端面が上部ガイドレール２と接触することによって移動パネル１の自重を支えている。
【００２８】
また、移動パネル１の下端には、上部ローラ３１の取り付け位置と対応する位置に下部ローラ３３が設けられており、下部ガイドレール３に沿って移動できるようになっている。この下部ローラ３３は、上部ローラ３１のように移動パネル１の自重を支えるものではないので簡易なものでよいし、ローラの代わりに下部ガイドレール３内を摺動できる凸部材であってもよい。
【００２９】
長尺部２１は、図３に示すように、下部の一部が開放された略矩形断面を有するレールによって構成され、開放部両脇に設けられた下部フランジ部２１ａによって移動パネル１の上部ローラ３１を支持するようになっている。この構造は、短尺部２２や収容部２３を構成するレールについても同様である。また、長尺部２１は、柱１２の上部にボルト締めされた断面略Ｃ字状の支持フレーム３２の下面にボルトやネジによって接合されている。なお、短尺部２２についても同様の支持構造となっている。
【００３０】
下部ガイドレール３は、断面コ字状部を有し、アルミやステンレス等からなる金属製フレームであって、フレーム下部から突出された突起部３ａが床板３４の開口穴に挿入された状態で固定されており、移動パネル１の収容時には取り外しできるようになっている。ケージが設置されるスペースの床は、一般にいわゆるＯＡ床であり、床板３４によって底上げされ、床板３４の下に配線等を通すことができるようになっている。
【００３１】
図４は移動パネルの収納方法を示す図であり、図５は移動パネルの収納前後を示した図であり、（Ａ）は収納前、（Ｂ）は収納後を示している。なお、図５においては、従来例（図６）と比較しやすくするために移動パネルの枚数をケージ前後面各８枚としてある。
【００３２】
図５（Ａ）に示すように、移動パネル１の収納前は、移動パネル１がケージ前面側及び後面側を覆っている。以下、図５（Ａ）の状態から図５（Ｂ）の状態になるまでの手順について説明する。
【００３３】
まず、図５（Ａ）の状態において、上述したロック２６を解除して移動パネル１を移動できる状態にする。次に、端の移動パネル１から順に上部ガイドレール２の長尺部２１をスライドさせる（図４参照）。移動パネル１の上部ローラ３１が短尺部２２に到達したら、短尺部２２に沿って上部ローラ３１上をスライドさせて移動パネル１を回動させる。移動パネル１が短尺部２２と平行な状態になったら、もう一方の上部ローラ３１を短尺部２２に沿ってスライドさせる。
【００３４】
次いで、上部ローラ３１が収容部２３に到達したら、各上部ローラ３１を収容部２３の各レールに沿ってケージ側面１１の方向にスライドさせる。したがって、移動パネル１は、ケージ側面１１と略平行な状態を保った状態で移動させられる。移動パネル１がケージ側面１１に到達して移動できなくなったら、次の移動パネル１を同様の操作で収容部２３に移動させる。全ての移動パネル１が収容部２３に移動したら移動パネル１の収納が完了である。
【００３５】
このようにしてケージ前面及び後面のそれぞれについて移動パネル１を収納したら、下部ガイドレール３を取り外す。これらの作業が全て完了すると図５（Ｂ）の状態となる。なお、下部ガイドレール３は、作業内容によっては必ずしも取り外す必要はない。
【００３６】
このように、本実施形態のスライディング式ケージを採用すると、扉開放時に通路スペースに扉がはみ出ないため、障害物が存在していても扉を完全に開放することができる。また、扉を開放することによる通路スペースの幅方向に制限がないため、通路スペースを最小限にすることができる。また、下部ガイドレール３を取り外すことができるため、足元を気にせずに作業することができる。したがって、機器類の設置・配線・調整等の作業性の向上を図るとともに、設置スペースの効率化を図ることができる。
【産業上の利用可能性】
【００３７】
本発明は、通信機器、コンピュータ関連機器等の電子機器に限らず、電源設備機器、動力機器など、通常にあっては安全のために囲いを必要とするが、作業時には開放面を広く設けることを要する技術分野にも適用することができる。
【図面の簡単な説明】
【００３８】
【図１】実施形態に係るスライディング式ケージの正面図である。
【図２】実施形態に係る上部ガイドレールの概要を示す部分上面図である。
【図３】実施形態に係るケージ前面の部分断面図である。
【図４】実施形態に係る移動パネルの収納方法を示す図である。
【図５】実施形態に係る移動パネルの収納前後を示した図であり、（Ａ）は収納前、（Ｂ）は収納後を示した図である。
【図６】従来のケージを示す図であり、（Ａ）は折戸式ケージ、（Ｂ）は引戸式ケージである。
【符号の説明】
【００３９】
１…移動パネル、２…上部ガイドレール、３…下部ガイドレール、３ａ…突起部、１１…ケージ側面、１２…柱、１３…間仕切り、１４…サーバーラック、２１…長尺部、２２…短尺部、２３…収容部、２４，２５…ストッパー、２６…ロック、３１…上部ローラ、３２…支持フレーム、３３…下部ローラ、３４…床板、６０，６４…パネル、６１…ローラ、６２…ガイドレール、６３…ラック、６５…下部ガイドレール
【図１】
2005256305.tif 000003
【図２】
2005256305.tif 000004
【図３】
2005256305.tif 000005
【図４】
2005256305.tif 000006
【図５】
2005256305.tif 000007
【図６】
2005256305.tif 000008